(57)【要約】【課題】複数設置された衛生洗浄装置における隣接するリモコン装置による誤動作を防止する手段として、製造段階でのカスタムコードごとの管理が不要となり、現場で設定を行う施工者も容易な操作でカスタムコードの設定ができる衛生洗浄装置のリモコン装置を提供する。【解決手段】リモコン装置１１の制御回路１４に、リモコン装置１１に設けられたスイッチ操作部１２のスイッチのうち、特定のスイッチを押下した状態で電源を投入することにより、その特定のスイッチ毎にあらかじめ決められたコードを選択してカスタムコードとして設定するスイッチ押下判断手段１８とカスタムコード判断手段１９を備えた衛生洗浄装置のリモコン装置。特定のスイッチを押しながら電源を投入することで、あらかじめ決められた特定のカスタムコードを設定できるようにしたので、リモコン装置の基板上に抵抗器やジャンパー線を何本も配置する必要もなく、設定も容易に行える。【選択図】  図１
2006104750.tif 000002
【特許請求の範囲】
【請求項１】
リモコン装置のスイッチ操作に応じた信号にカスタムコードを付加して操作信号を出力する制御部と、人体局部の洗浄機能を有する衛生洗浄装置本体に前記操作信号を送信する信号送信部とを備えた衛生洗浄装置のリモコン装置において、
前記制御部は、前記リモコン装置に設けられたスイッチのうち、特定のスイッチを押下した状態で電源を投入することにより、前記特定のスイッチ毎にあらかじめ決められたコードを選択してカスタムコードとして設定する手段を備えていることを特徴とする衛生洗浄装置のリモコン装置。
【請求項２】
前記制御部は、電源投入時点のスイッチの押下状態を検出するスイッチ押下状態判断手段と、前記スイッチに対応させたコードを記憶させた記憶部と、前記記憶部から、前記スイッチ押下状態判断手段により特定されたスイッチに応じたコードを呼び出し、カスタムコードとして設定するカスタムコード設定手段を備えたことを特徴とする請求項１記載の衛生洗浄装置のリモコン装置。
【請求項３】
前記設定されたカスタムコードを報知する手段を設けたことを特徴とすることを特徴とする請求項１または２記載の衛生洗浄装置のリモコン装置。
【発明の詳細な説明】
【技術分野】
【０００１】
本発明は、衛生洗浄装置を遠隔操作するリモコン装置に関する。
【背景技術】
【０００２】
オフィスや商業施設、鉄道の駅やバスのターミナル等、複数の衛生洗浄装置を所定の敷地内に近接して設置する、いわゆるパブリックトイレでは、配線工事を行うことや防水構造にすることの問題を解消するため、単独の衛生洗浄装置と同様に、本体を操作するための赤外線式のリモコン装置が用いられるものが多い。
ここで問題なのは、パブリックトイレでは、あるトイレ室で操作したリモコン装置の光信号が、共通の天井で反射し、隣接するトイレ室の衛生洗浄装置本体を誤操作してしまうおそれがあるということである。
そこで、個々のトイレのリモコン装置と衛生洗浄装置本体に、内容を異にするカスタムコードを与えて、隣接するトイレのリモコン装置の光信号を受け付けなくするようにしている。
【０００３】
しかし、異なるカスタムコードを有するＣＰＵを個々のリモコン装置に搭載すると多数のＣＰＵが必要になり、ソフト製作上および管理上の問題を有する。
その問題を解決するため、複数の衛生洗浄装置を隣接して設置する場合、リモコン装置の基板上の抵抗器あるいはジャンパー線を切断もしくは接続することにより、隣接する衛生洗浄装置とは異なるカスタムコードを設定し、誤作動を防止する方法を採っていた（例えば、特許文献１参照）。
【０００４】
図６は、特許文献１に記載された衛生洗浄装置の構成例を示すブロック図である。同図において、６１は操作スイッチ、６２はスイッチコード生成手段、６３は抵抗有／無判別手段、６４はカスタムコード合成手段、６５は信号発生手段、６６は抵抗回路動作手段、Ｒ１，Ｒ２は抵抗器（ジャンパー線でもよい）である。抵抗有／無判別手段６３は、Ｒ１，Ｒ２の有無の組み合わせ（４通り）を判別するものであり、その組み合わせにより、４種類のカスタムコードをカスタムコード合成手段６４により生成する。
【０００５】
操作スイッチ６１が操作されると、その期間だけ抵抗回路動作手段６６がオンとなって、抵抗器Ｒ１，Ｒ２を操作スイッチ６１に接続する。そうすると、操作スイッチ６１が操作されたときその期間だけ抵抗有／無判別手段６３によって抵抗器Ｒ１，Ｒ２が接続されているかどうかが判断され、その結果がカスタムコード合成手段６４に与えられる。操作スイッチ６１を操作した信号は、スイッチコード生成手段６２に供給され、そこで生成されたスイッチコードがカスタムコード合成手段６４に供給され、抵抗有／無判別手段６３によって判別された判別結果に対応したカスタムコードが出力され、信号発生手段６５から、そのカスタムコードが付加された赤外線信号が出力される。このようなカスタムコード設定は、衛生洗浄装置本体側とリモコン装置側の両方において行われる。
【０００６】
【特許文献１】実開平７−２０３７２号公報（第２頁、第２図）
【発明の開示】
【発明が解決しようとする課題】
【０００７】
しかし、上記したようなリモコン装置の基板上の抵抗器あるいはジャンパー線を切断もしくは接続する方法では、複数本のジャンパー線を用意する必要があると共に、基板へ実装するスペースが必要である。
ここで、基板上の抵抗器あるいはジャンパー線に関しては、製造段階では衛生洗浄装置が連立して設置されることが分かっておらず、現場でカスタムコードの設定をする際には、リモコン装置を開梱し、半田を接続して設定するよりは、切断することでの設定の方が作業も行いやすいため、複数本の抵抗器あるいはジャンパー線を全て実装しておく必要があり、必然的にコストがかかる。また、カスタムコードを設定するための工具も必要であるうえ、誤った抵抗器あるいはジャンパー線を切断してしまったときの修正は煩雑であった。
さらに、あらかじめ複数の衛生洗浄装置を連立して設置することがわかっている場合には、抵抗器あるいはジャンパー線によるカスタムコードの設定を製造段階で行うことができるが、複数種の在庫を持つ必要があり管理も煩雑であった。
【０００８】
そこで、本発明は上記の問題点を解決するものであり、複数設置された衛生洗浄装置における隣接するリモコン装置による誤動作を防止する手段として、製造段階でのカスタムコードごとの管理も不要となり、現場で設定を行う施工者も容易な操作でカスタムコードの設定ができる衛生洗浄装置のリモコン装置を提供することを目的とする。
【課題を解決するための手段】
【０００９】
上記目的を達成するために本発明の第１の構成は、リモコン装置のスイッチ操作に応じた信号にカスタムコードを付加して操作信号を出力する制御部と、人体局部の洗浄機能を有する衛生洗浄装置本体に前記操作信号を送信する信号送信部とを備えた衛生洗浄装置のリモコン装置において、前記制御部は、前記リモコン装置に設けられたスイッチのうち、特定のスイッチを押下した状態で電源を投入することにより、前記特定のスイッチ毎にあらかじめ決められたコードを選択してカスタムコードとして設定する手段を備えていることを特徴とする。
【００１０】
この第１の構成による発明では、特定のスイッチを押下した状態で電源を投入することにより、特定のスイッチ毎にあらかじめ決められたカスタムコードを選択するので、複数設置された衛生洗浄装置における隣接するリモコン装置による誤動作を防止するためのカスタムコードを容易に設定できる。これにより、基板上での抵抗器やジャンパー線も不要となり、設定の際に抵抗器の結線やジャンパー線を切断するためのリモコン装置の開梱も不要となる。
【００１１】
本発明の第２の構成は、前記制御部は、電源投入時点のスイッチの押下状態を検出するスイッチ押下状態判断手段と、前記スイッチに対応させたコードを記憶させた記憶部と、前記記憶部から、前記スイッチ押下状態判断手段により特定されたスイッチに応じたコードを呼び出し、カスタムコードとして設定するカスタムコード設定手段を備えたことを特徴とする。
【００１２】
この第２の構成によれば、スイッチ押下状態判断手段により特定されたスイッチに応じたコードを記憶部から呼び出し、カスタムコード設定手段によりカスタムコードとして設定するようにしたので、複数の衛生洗浄装置が連立して設置された場所にて施工者が、その場で容易にカスタムコードを設定することができ、隣接したリモコン装置と電源投入時に押下するスイッチを変えることで異なるカスタムコードを設定でき、誤動作を防止することができる。一般的にリモコン装置にて設定されたカスタムコードは、衛生洗浄装置本体の制御部において、例えば電源投入時に最初に受信したリモコン装置からの送信コードに含まれる特定のカスタムコードを記憶し、以後その特定のカスタムコードの含まれるリモコン信号しか制御へ反映しないようにすることができる。設置現場にて必要に応じてカスタムコードの設定を行うので、製造段階では衛生洗浄装置が連立されて設置されるかを管理する必要が無く、一種類のリモコン装置のみを製造すれば良いので、複数種の在庫を持つ必要が無くなる。
【００１３】
本発明の第３の構成は、前記設定されたカスタムコードを報知する手段を設けたことを特徴とする。
【００１４】
この第３の構成によれば、設定されたカスタムコードを報知する手段を設けたので、複数の衛生洗浄装置が連立して設置された場所で、隣接するリモコン装置がどのカスタムコードに設定してあるかが分かるので、電源投入時にどのスイッチを押下すれば良いかが容易に判断できる。また、次回カスタムコードを設定する際にも、どのカスタムコードを設定すれば良いかが容易に判断できる。
【発明の効果】
【００１５】
本発明のリモコン装置によれば、電源投入時にスイッチを押下しておくことで、複数設置された衛生洗浄装置における隣接するリモコン装置による誤動作を防止するためのカスタムコードを設定するので、従来のようなカスタムコードごとに接続、切断する抵抗器やジャンパー線等の部品を基板上へ配置する必要を無くすことができる。また製造段階では、カスタムコードごとの複数種にわたる在庫を抱える必要が無くなり、管理も容易になる。
【発明を実施するための最良の形態】
【００１６】
以下、本発明の実施の形態を、図１〜図５を参照して説明する。
図１は本発明の実施の形態の構成を示す要部ブロック図である。同図において、１１は衛生洗浄装置本体へ操作信号を送信するリモコン装置本体を示す。利用者がリモコン装置本体１１上のスイッチ操作部１２（図２の２１，２２参照）に配置されているスイッチを操作すると、制御回路１４内のスイッチ押下状態判断手段１８によりスイッチが押されているかどうか、どのスイッチが押されているかを判断し、押されたスイッチに応じたリモコン送信信号を、衛生洗浄装置本体へコード送信部１５より送信する。また、記憶部１３には現在の操作状態を一時的に記憶しておき、記憶状態に応じた表示を表示部１６（図４参照）に行う。１７は電源部であり、例えば電池や商用電源を指す。１９はカスタムコード判断手段であり、電源投入時に押下されたスイッチによりあらかじめ記憶しておいたカスタムコードを判断し決定することができる。決定した特定のカスタムコードは、記憶部１３へ記憶しておく。
【００１７】
以上のようにこの実施の形態のリモコン装置は、複数設置された衛生洗浄装置における隣接するリモコン装置による誤動作を防止するために、隣接するもの同士を異なったカスタムコードとする設定を容易に行うことができる。したがって、従来のように、衛生洗浄装置の製造段階もしくは設置現場において、リモコン基板上の抵抗器やジャンパー線を切断もしくは接続することで、カスタムコードを設定するような面倒な作業が不要となる。
【００１８】
図２は、本発明の実施の形態におけるスイッチ操作部の例を示す図である。置において局部を洗浄させるためのおしりスイッチ、ビデスイッチ、また洗浄後に乾燥させるよう指示するための乾燥スイッチなどで構成される。２２は機能調整、設定スイッチであり、衛生洗浄装置をより快適に使用するためのさまざまな設定を行うためのスイッチである。例えば、局部洗浄を好みの位置で行うための洗浄位置を調節するスイッチも用意されており、指定する時間に便座の温度を下げて節電を行う機能の入／切スイッチもある。
本発明では、洗浄動作指示スイッチ、機能調整、設定スイッチにそれぞれのスイッチとは別の機能として、電源投入時にのみ有効となるカスタムコードを設定するための機能が割り当てられており、電源投入時にどのスイッチが押下されているかにより特定のカスタムコードを設定することができ、設定が完了することで、それぞれのスイッチ機能としての役割を行うことができる。
【００１９】
図３は、本発明の実施の形態におけるカスタムコード判断処理のフローチャートであり、図３に基づき動作、作用について説明する。リモコン装置に電源、例えば電池を投入すると、カスタムコードを設定するためのスイッチ入力判断処理が実行される。まず、ステップＳ３１にて電池を入れた時からスイッチが押されているかを判断する。施工者が電池を入れる際にどのスイッチも押されていないことをスイッチ押下状態判断手段１８により判断した場合をカスタムコードの標準コードとし（ステップＳ３３）、ＣＰＵ内記憶部に記憶しておく（ステップＳ３７）。同様に、電池を入れる際に何らかのスイッチが押下されていると判断した場合には、ステップＳ３２にてどのスイッチが押されているかを判断する。このとき、止めスイッチであれば特殊コードＡを（ステップＳ３４）、洗浄スイッチであれば特殊コードＢを（ステップＳ３５）、乾燥スイッチであれば特殊コードＣ（ステップＳ３６）というように、カスタムコード判断手段１９によってあらかじめスイッチごとに割り当てられていたカスタムコードを選択し、ＣＰＵ内記憶部に記憶しておく（ステップＳ３７）。このように、複数の衛生洗浄装置を連立して設置しなければ何も作業を行う必要が無く、連立して設置される場所でのみ前記の操作により、連立される台数によって異なるカスタムコードを設定すれば良い。
【００２０】
図４は、本発明の実施の形態における表示部の例を示す図である。図において、４１は報知手段としてのカスタムコード表示部であり、電源投入時に押されていたスイッチ操作部１２のスイッチにより設定されたカスタムコードを記憶部１３に記憶しておき、設定されているカスタムコードに応じた表示を、電源が入っている間は常時点灯しておくことができる。報知させる手段としては、表示の他にカスタムコード選択時に押下されたスイッチを点灯させておく手段や、特別なスイッチ操作により音声により報知することも可能である。
【００２１】
図５は、本発明の実施の形態におけるカスタムコード表示処理のフローチャートである。図５に基づき動作、作用について説明する。電池の投入後、カスタムコードの設定が終了すると、カスタムコード表示判断処理を行う。まず、ステップＳ５１にてＣＰＵ内記憶部より記憶されたカスタムコードを読み出す。次にステップＳ５２により記憶部１３に格納されているカスタムコードがどのカスタムコードに設定されているかを判断する。最後に、設定されているカスタムコードに応じた表示をステップＳ５３にて表示部へ表示させ、以降電池が抜かれるまで表示部への点灯を継続することができる。ここで、標準コードが選択されていた場合には、表示部へは何も表示させず、衛生洗浄装置を連立して使用しない利用者においては、カスタムコードを意識させないことができる。また例えば特殊コードＡが選択されていた場合、特殊コードＡと表示させるのではなく、特Ａと省略した表示を行うことで、表示スペースを節約することができる。
【００２２】
以上のように本発明の実施の形態に係るリモコン装置は、選択されたカスタムコードを報知することで、複数設置された衛生洗浄装置における、隣接するリモコン装置がどのカスタムコードに設定したかが容易に分かることができ、次回カスタムコードを設定する時にも、どのスイッチを押下して電池を投入すれば良いかが容易に判断できる。
【００２３】
なお、衛生洗浄装置本体側にもカスタムコードを設定する必要があるが、これもリモコン装置と同じように、衛生洗浄装置本体に設けられた補助スイッチのうちの異なるスイッチあるいは異なるスイッチの押圧方法により異なるカスタムコードを付与しておき、商用電源投入時に押されていたスイッチの押し方、例えば、洗浄スイッチのみ押圧、乾燥スイッチのみ押圧、止めスイッチのみ押圧、洗浄スイッチと止めスイッチの同時押し等で、それぞれ異なるカスタムコードを付与するようにすればよい。
【産業上の利用可能性】
【００２４】
本発明は、スイッチを押しながら電源を投入することであらかじめ決められた特定のカスタムコードを設定できるリモコン装置であり、パブリックトイレと単独設置のトイレのいずれにおいても適用することができる。
【図面の簡単な説明】
【００２５】
【図１】本発明の実施の形態の構成を示す要部ブロック図である。
【図２】本発明の実施の形態におけるスイッチ操作部の例を示す図である。
【図３】本発明の実施の形態におけるカスタムコード判断処理のフローチャートである。
【図４】本発明の実施の形態における表示部の例を示す図である。
【図５】本発明の実施の形態におけるカスタムコード表示処理のフローチャートである。
【図６】特許文献１に記載された衛生洗浄装置の構成例を示すブロック図である。
【符号の説明】
【００２６】
１１  リモコン装置本体
１２  スイッチ操作部
１３  記憶部
１４  制御回路
１５  コード送信部
１６  表示部
１７  電源部
１８  スイッチ押下状態判断手段
１９  カスタムコード判断手段
２１  洗浄動作指示スイッチ
２２  機能調整、設定スイッチ
４１  カスタムコード表示部
【図１】
2006104750.tif 000003
【図３】
2006104750.tif 000004
【図５】
2006104750.tif 000005
【図６】
2006104750.tif 000006
【図２】
2006104750.tif 000007
【図４】
2006104750.tif 000008